(57)【要約】 【課題】誤った通過あるいは一時的な通過を本来の通過とはみなさないようにする。 【解決手段】携帯電話装置４は、入場検出時に施設サーバ１を経由して課金処理結果（入場料金、マネー残高）を受信すると、課金済み報知処理を実行し、退場検出時に入場検出から所定時間以内での退場であれば、誤って入場したり、一時的に入場したりした場合の即時退場であると判断し、入場時に実行された課金処理の取り消しを要求するキャンセル要求を施設サーバ１に対して送信する。 【選択図】  図１
2008299379.tif 000002
【特許請求の範囲】
【請求項１】
非接触ＩＣカード読取装置の位置を通過したことを検出する非接触ＩＣカード処理部を備えた携帯端末装置であって、
前記非接触ＩＣカード処理部による通過検出から所定時間以内に前回とは逆の方向への通過が検出されたか否かを判別する判別手段と、
この判別手段によって所定時間以内での逆方向通過か否かの判別が行われた場合に、その判別結果に応じて所定処理を実行する処理制御手段と、
を具備したことを特徴とする携帯端末装置。
【請求項２】
施設への入場検出に応じて入場処理が実行された場合に、前記処理制御手段は、この入場検出から前記所定時間以内での退場検出に応じて前記入場処理を取り消すための処理を前記所定処理として実行する、
ようにしたことを特徴とする請求項１記載の携帯端末装置。
【請求項３】
施設からの退場検出に応じて退場処理が実行された場合に、前記処理制御手段は、この退場検出から前記所定時間以内での入場検出に応じて前記退場処理を取り消すための処理を前記所定処理として実行する、
ようにしたことを特徴とする請求項１記載の携帯端末装置。
【請求項４】
前記非接触ＩＣカード読取装置の位置を通過したことが前記非接触ＩＣカード処理部によって検出される毎に、その通過事実を記録する通過記録手段を更に設け、
前記処理制御手段は、前記判別手段によって所定時間以内での逆方向通過が検出されたと判別された場合に、前回の通過事実の記録を無効とする無効処理を実行する、
ようにしたことを特徴とする請求項１記載の携帯端末装置。
【請求項５】
前記処理制御手段は、通過検出から所定時間以内での逆方向通過が検出されなかった場合に、所定処理を実行する、
ようにしたことを特徴とする請求項１記載の携帯端末装置。
【請求項６】
前記処理制御手段は、通過検出から所定時間以内での逆方向通過が検出されなかった場合に、情報提供サービスを享受するサービス要求処理を前記所定処理として実行する、
ようにしたことを特徴とする請求項６記載の携帯端末装置。
【請求項７】
前記所定処理が実行された際に、あるいは前記所定処理が実行されなかった場合に、その旨を報知する報知手段を更に設けた、
ことを特徴とする請求項１記載の携帯端末装置。
【請求項８】
前記非接触ＩＣカード処理部による通過検出時に、前記所定時間を計測する計測手段を更に設け、
前記判別手段は、前記計測手段によって所定時間が計測される前に逆方向への通過があったか否かを判別する、
ようにしたことを特徴とする請求項１記載の携帯端末装置。
【請求項９】
非接触ＩＣカード読取装置と交信する非接触ＩＣカード装置が当該読取装置の位置を通過した際に、その通過に応じた処理を実行する通過管理システムであって、
前記非接触ＩＣカード読取装置の位置を前記カード装置が通過したことが検出されてから所定時間以内に前回とは逆の方向への通過が検出されたか否かを判別する判別手段と、
この判別手段によって所定時間以内での逆方向通過か否かの判別が行われた場合に、その判別結果に応じて所定処理を実行する処理制御手段と、
を具備したことを特徴とする通過管理システム。
【請求項１０】
コンピュータに対して、
非接触ＩＣカード読取装置の位置を通過したことを検出する非接触ＩＣカード処理部による通過検出から所定時間以内に前回とは逆の方向への通過が検出されたか否かを判別する機能と、
前記所定時間以内での逆方向通過か否かの判別が行われた場合に、その判別結果に応じて所定処理を実行する機能と、
を実現させるためのプログラム。
【請求項１１】
コンピュータに対して、
非接触ＩＣカード読取装置の位置と交信する非接触ＩＣカード装置が当該読取装置の位置を通過したことが検出されてから所定時間以内に前回とは逆の方向への通過が検出されたか否かを判別する機能と、
前記所定時間以内での逆方向通過か否かの判別が行われた場合に、その判別結果に応じて所定処理を実行する機能と、
を実現させるためのプログラム。
【発明の詳細な説明】
【技術分野】
【０００１】
この発明は、非接触ＩＣカード読取装置の位置を通過したことを検出する非接触ＩＣカード処理部を備えた携帯端末装置、この非接触ＩＣカード読取装置の位置通過時にその通過に応じた処理を実行する通過管理システム及びプログラムに関する。
【背景技術】
【０００２】
従来、非接触ＩＣカードと呼ばれている非接触ＩＣ処理機能を交通機関の駅改札口を通過する際の入退場機能（例えば、電車、バスを利用する際の乗車券機能）として使用可能な技術が普及してきているが、このような非接触ＩＣ処理機能は、駅の入退場機能（自動改札機能）に限らず、例えば、有料施設の入場ゲートを通過する際に、利用者所持の携帯電話装置から入場料を徴収するようにした技術も知られている（特許文献１参照）。  
【特許文献１】特開２００５−３４６３４５号公報
【発明の開示】
【発明が解決しようとする課題】
【０００３】
ところで、施設利用料（例えば、入場料）を入場時に徴収する場合と退場時に精算する場合とがあるが、入場ゲートの通過により直ちに入場とみなされたり、退場ゲートの通過により直ちに退場とみなされたりするため、例えば、誤って入場あるいは退場した場合、あるいは一時的に入場あるいは退場した場合でも入場料などが課金されることになる。このような場合、従来では、係員を探し出してその払い戻しを要求する方法でしか対処することができなかった。
このことは、運賃、入場料などのように課金する場合に限らず、入退場に応じて各種のサービスなどを実施する場合でも同様であって、その処理の取り消しなどの負担を利用者に負わせてしまうという問題があった。
【０００４】
この発明の課題は、誤った通過あるいは一時的な通過を本来の通過とはみなさないようにすることである。
【課題を解決するための手段】
【０００５】
請求項１記載の発明は、非接触ＩＣカード読取装置の位置を通過したことを検出する非接触ＩＣカード処理部を備えた携帯端末装置であって、前記非接触ＩＣカード処理部による通過検出から所定時間以内に前回とは逆の方向への通過が検出されたか否かを判別する判別手段と、この判別手段によって所定時間以内での逆方向通過か否かの判別が行われた場合に、その判別結果に応じて所定処理を実行する処理制御手段とを具備したことを特徴とする。
更に、コンピュータに対して、上述した請求項１記載の発明に示した主要機能を実現させるためのプログラムを提供する（請求項１０記載の発明）。
【０００６】
なお、上述した請求項１記載の発明は次のようなものであってもよい。
施設への入場検出に応じて入場処理が実行された場合に、前記処理制御手段は、この入場検出から前記所定時間以内での退場検出に応じて前記入場処理を取り消すための処理を前記所定処理として実行する（請求項２記載の発明）。
【０００７】
施設からの退場検出に応じて退場処理が実行された場合に、前記処理制御手段は、この退場検出から前記所定時間以内での入場検出に応じて前記退場処理を取り消すための処理を前記所定処理として実行する（請求項３記載の発明）。
【０００８】
前記非接触ＩＣカード読取装置の位置を通過したことが前記非接触ＩＣカード処理部によって検出される毎に、その通過事実を記録する通過記録手段を更に設け、前記処理制御手段は、前記判別手段によって所定時間以内での逆方向通過が検出されたと判別された場合に、前回の通過事実の記録を無効とする無効処理を実行する（請求項４記載の発明）。
【０００９】
前記処理制御手段は、通過検出から所定時間以内での逆方向通過が検出されなかった場合に、所定処理を実行する（請求項５記載の発明）。
【００１０】
請求項５記載の発明において、前記処理制御手段は、通過検出から所定時間以内での逆方向通過が検出されなかった場合に、情報提供サービスを享受するサービス要求処理を前記所定処理として実行するようにしてもよい（請求項６記載の発明）。
【００１１】
前記所定処理が実行された際に、あるいは前記所定処理が実行されなかった場合に、その旨を報知する報知手段を更に設けた（請求項７記載の発明）。
【００１２】
前記非接触ＩＣカード処理部による通過検出時に、前記所定時間を計測する計測手段を更に設け、前記判別手段は、前記計測手段によって所定時間が計測される前に逆方向への通過があったか否かを判別する（請求項８記載の発明）。
【００１３】
請求項９記載の発明は、非接触ＩＣカード読取装置と交信する非接触ＩＣカード装置が当該読取装置の位置を通過した際に、その通過に応じた処理を実行する通過管理システムであって、前記非接触ＩＣカード読取装置の位置を前記カード装置が通過したことが検出されてから所定時間以内に前回とは逆の方向への通過が検出されたか否かを判別する判別手段と、この判別手段によって所定時間以内での逆方向通過か否かの判別が行われた場合に、その判別結果に応じて所定処理を実行する処理制御手段とを具備したことを特徴とする。
更に、コンピュータに対して、上述した請求項９記載の発明に示した主要機能を実現させるためのプログラムを提供する（請求項１１記載の発明）。
【発明の効果】
【００１４】
この発明は、誤った通過あるいは一時的な通過を本来の通過とはみなさないようにすることができ、その通過を取り消すなどの負担を利用者に負わせることがなく、実用効果の高いものとなる。
【発明を実施するための最良の形態】
【００１５】
（実施例１）
以下、図１〜図５を参照して本発明の第１実施例を説明する。
この実施例は、有料施設の入退場口をその施設利用者が通過したことを管理する通過管理システムを示したブロック図である。
施設サーバ１は、テーマパークなどの施設への通過（入退場）を管理するサーバ装置であり、その施設の入退場口に設置されているゲート装置２にケーブル接続されている。ゲート装置２は、例えば、入退場共用のゲート装置であり、入退場口を開閉するゲートを制御するもので、このゲート装置２の所定位置には、入場用の非接触ＩＣカード読取装置３と退場用の非接触ＩＣカード読取装置３が備えられており、この入場用の非接触ＩＣカード読取装置３によって入場検出が行われ、退場用の非接触ＩＣカード読取装置３によって退場検出が行われる。非接触ＩＣカード読取装置３は、利用者所持の携帯端末装置（携帯電話装置）４がゲート装置２を通過した際に、この携帯電話装置４側に備えられている非接触ＩＣカード処理部（図１では図示省略）と交信することによってその入退場を検出するもので、その検出結果はゲート装置２を介して施設サーバ１に送られる。
【００１６】
また、施設サーバ１は、電子マネー管理センタ５に広域の通信ネットワーク６を介して接続されている。この管理センタ５は、施設入場時にその利用者（入場者）対応の電子マネーから入場料金を徴収する処理を実行するもので、施設サーバ１からの要求に応じてユーザデータベース５Ａをアクセスして入場者対応の電子マネーの残高から入場料金を減額してその残高を更新する課金処理を実行するようにしている。この場合、携帯電話装置４側では、通過検出に応じて実行される所定の処理として、施設入場時に入場料金が徴収されて課金済みであることを知らせる課金済み報知処理を実行するようにしている。
【００１７】
また、携帯電話装置４は、通話機能、電子メール機能、インターネット接続機能（Ｗｅｂアクセス機能）などの機能のほか、通過検出から所定時間（例えば、５分）以内に前回とは逆の方向へ通過したか、つまり、前回の入場時から所定時間以内に同一ゲートを退場したのかを監視する逆方向通過監視機能が備えられており、所定時間以内での逆方向通過が検出された場合には、誤った入場あるいは一時的な入場であると判断し、電子マネー管理センタ５に対して上述した課金処理の取り消しを要求するキャンセル要求処理を実行するようにしている。
【００１８】
図２は、施設サーバ１の基本的な構成要素を示したブロック図である。
ＣＰＵ１１は、記憶部１２内の各種のプログラムに応じてこの施設サーバ１の全体動作を制御する中核的な中央演算処理装置である。記憶部１２は、内部メモリであり、プログラム領域とデータ領域とを有している。メモリ１３は、ワーク領域を有する内部メモリであり、必要に応じてメモリ１３内の各種のデータは、記憶部１２にセーブされる。操作部１４は、文字入力、コマンド入力などを行うもので、ＣＰＵ１１は、操作部１４からのキー入力信号に応じた処理を実行し、その処理結果などを表示部１５から出力させる。構内通信部１６は、ケーブル接続されているゲート装置２との間でのインターフェイス部であり、広域通信部１７は、通信ネットワークを介して接続されている電子マネー管理センタ５との間でのインターフェイス部である。
【００１９】
図３は、携帯電話装置４の基本的な構成要素を示したブロック図である。
ＣＰＵ４１は、記憶部４２内の各種のプログラムに応じてこの携帯電話装置４の全体動作を制御する中核的な中央演算処理装置である。記憶部４２は、内部メモリであり、プログラム領域とデータ領域とを有し、このプログラム領域には、後述する図４に示す動作手順に応じて本実施例を実現するためのプログラムが格納されている。メモリ４３は、ワーク領域を有する内部メモリであり、必要に応じてメモリ４３内の各種のデータは、記憶部４２にセーブされる。
【００２０】
電話通信部４４は、無線部を構成するアンテナに接続された送受信部（ベースバンド部）の受信側から信号を取り込んで受信ベースバンド信号に復調したのちに、音響制御部４５を介して受話スピーカ４５Ａから音声出力させる。また、電話通信部４４は、送話マイク４５Ｂからの入力音声を音響制御部４５から取り込み、送信ベースバンド信号に符号化したのち、送受信部の送信側に与えてアンテナから発信出力させる。操作部４６は、文字入力、コマンド入力などを行うもので、ＣＰＵ４１は、操作部４６からの操作入力信号に応じた処理を実行し、その処理結果などを表示部４７から出力させる。サウンドスピーカ４８は、通話／メールの着信時にメロディなどの着信音を出力したり、ゲート装置２の入場時に課金済みを知らせる報知音を出力したりする。
【００２１】
非接触ＩＣカード処理部４９は、コイルアンテナ部４９Ａ、制御部４９Ｂ、メモリ部４９Ｃなどを有する構成で、コイルアンテナ部４９Ａは、電波を送受信すると共に、受信電波によって電磁誘導される起電力を非接触ＩＣカード処理部４９の動作電力とする。制御部４９Ｂは、コイルアンテナ部４９Ａからの起電力に基づいて起動状態となり、メモリ部４９Ｃから「カードＩＤ」を読み出して送信したり、施設サーバ１から金額データ（例えば、入場料金など）を受信したりする。
【００２２】
次に、この第１実施例における携帯電話装置４の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図４は、携帯電話装置４の全体動作のうち、本実施例の特徴部分の動作概要を示したフローチャートであり、この図４のフローから抜けた際には、全体動作のフロー（図示省略）に戻る。
【００２３】
図４は、ゲート装置２の通過時に非接触ＩＣカード処理部４９の起動に応じて実行される携帯電話装置４の動作を示したフローチャートである。図５は、携帯電話装置４からの要求に応じて実行される施設サーバ１、電子マネー管理センタ５側の動作概要を示したフローチャートである。
先ず、携帯電話装置４は、その非接触ＩＣカード処理部４９とゲート装置２側のカード読取装置３との間での交信によってゲート装置２からゲート情報（ゲートＩＤ、入退場種別）を受信すると（ステップＡ１）、この入退場種別に基づいて入場か否かを判別する（ステップＡ２）。いま、施設入場の場合には（ステップＡ２でＹＥＳ）、自己を識別するための「ユーザＩＤ」を読み出し、この「ユーザＩＤ」を付加した入場料決済要求を非接触ＩＣカード処理部４９から送信する（ステップＡ３）。
【００２４】
施設サーバ１は、携帯電話装置４の非接触ＩＣカード処理部４９から発信された入場料決済要求をカード読取装置３、ゲート装置２を介して受信すると（図５のステップＢ１）、この決済要求に付加されている「ユーザＩＤ」と共に現在時刻を「入場時刻」として記録保持しておくほか（ステップＢ２）、電子マネー管理センタ５をアクセスし、携帯電話装置４からの決済要求を電子マネー管理センタ５に対して送信する（ステップＢ３）。ここで、電子マネー管理センタ５は、この決済要求を受信すると（ステップＣ１）、この要求に応じてユーザデータベース５Ａをアクセスし、受信した「ユーザＩＤ」対応の電子マネーの残高から入場料金を減額してその残高を更新する課金処理を実行する（ステップＣ２）。そして、この課金処理の結果（今回徴収した入場料金、マネー残高）を施設サーバ１に送信すると（ステップＣ３）、施設サーバ１は、この課金処理結果（入場料金、マネー残高）をゲート装置２を介して要求元の携帯電話装置４に送信する（ステップＢ４）。
【００２５】
携帯電話装置４は、施設サーバ１を経由して課金処理結果（入場料金、マネー残高）を受信すると（ステップＡ４）、課金済み報知処理を実行し、入場料金、マネー残高を表示部４７から表示させると共に、サウンドスピーカ４８から報知音を出力させる（ステップＡ５）。そして、受信した「ゲートＩＤ」と共に現在時刻を「入場時刻」として記録する入場記録を行う（ステップＡ６）。
【００２６】
一方、携帯電話装置４は、ゲート通過が退場であれば（ステップＡ２でＮＯ）、入場記録の有無を調べ（ステップＡ７）、入場記録が無ければ、エラー報知処理の実行に移るが（ステップＡ１６）、入場記録が有れば（ステップＡ７でＹＥＳ）、「入場時刻」と「現在時刻（退場時刻）」とを比較して入場時刻からの経過時間をチェックし（ステップＡ８）、入場時刻から所定時間内（例えば、５分以内）であるかを調べる（ステップＡ９）。いま、前回の入場時から今回の退場時までの経過時間が所定時間を越えていれば（ステップＡ９でＮＯ）、通常の退場として取り扱うために、受信した「ゲートＩＤ」と共に現在時刻を「退場時刻」として記録する退場記録を行う（ステップＡ１５）。
【００２７】
また、前回の入場時から今回の退場時までの経過時間が所定時間内であれば（ステップＡ９でＮＯ）、前回の入場時に受信した「ゲートＩＤ」と今回の退場時に受信した「ゲートＩＤ」とを比較し、同一のゲート装置２を通過した場合か否かの判別を行う（ステップＡ１０）。この結果、異なるゲート装置２を通過した場合であれば、ステップＡ１５に移り、退場記録を行うが、同一のゲート装置２を通過した場合には（ステップＡ１０でＹＥＳ）、誤って入場したり、一時的に入場したりした場合の即時退場であると判断し、入場時に実行された課金処理の取り消しを要求するキャンセル要求を「ユーザＩＤ」と共に非接触ＩＣカード処理部４９から送信する（ステップＡ１１）。
【００２８】
施設サーバ１は、携帯電話装置４から発信されたキャンセル要求をゲート装置２を介して受信すると（ステップＢ５でＹＥＳ）、上述の入場料決済要求時に記録した「ユーザＩＤ」、「入場時刻」を読み出し、前回の入場時に受信した「ユーザＩＤ」と今回の退場時に受信した「ユーザＩＤ」とを比較して同一ユーザであるかをチェックするほか、「入場時刻」と「現在時刻」とを比較して入場時刻からの経過時間をチェックすることによって（ステップＢ６）、「ユーザＩＤ」が同一で、入場時刻から所定時間内（例えば、５分以内）での退場か否かを調べる（ステップＢ７）。ここで、「ユーザＩＤ」が異なる場合あるいは同一であっても所定時間を越えた退場の場合には（ステップＢ７でＮＯ）、キャンセル不可応答をゲート装置２を介して要求元の携帯電話装置４に対して送信する（ステップＢ８）。
【００２９】
また、施設サーバ１は、「ユーザＩＤ」が同一であり、かつ、入場時刻から所定時間内での退場であれば（ステップでＹＥＳ）、「ユーザＩＤ」と共に課金処理キャンセル要求を電子マネー管理センタ５に対して送信する（ステップＢ９）。ここで、電子マネー管理センタ５は、このキャンセル要求に応じて「ユーザＩＤ」対応のマネー残高を検索して決済前の値に戻す処理を実行したのち（ステップＣ４）、この新たな残高を施設サーバ１に送信すると（ステップＣ５）、施設サーバ１は、新たな残高と共にキャンセル許可通知を要求元の携帯電話装置４に対して送信する（ステップＢ１０）。
【００３０】
携帯電話装置４は、施設サーバ１からキャンセル不可応答を受信したかキャンセル許可通知を受信したかを調べ（ステップＡ１２）、キャンセル不可応答を受信した場合にはキャンセル不可報知を行い（ステップＡ１４）、キャンセル許可通知を受信した場合にはキャンセル完了報知を実行して表示部４７からメッセージを表示させると共に、サウンドスピーカ４８から報知音を出力させる（ステップＡ１３）。そして、現在時刻を「退場時刻」として「ゲートＩＤ」と共に記録する退場記録を行う（ステップＡ１５）。
【００３１】
以上のように、この第１実施例において携帯電話装置４は、入場検出時に施設サーバ１を経由して課金処理結果を受信すると、課金済み報知処理を実行し、退場検出時に入場検出から所定時間以内での退場であれば、誤って入場したり、一時的に入場したりした場合の即時退場であると判断し、入場時に実行された課金処理の取り消しを要求するキャンセル要求を施設サーバ１に対して送信するようにしたので、誤った通過あるいは一時的な通過を本来の通過とはみなさないようにすることができ、その通過を取り消すなどの負担を利用者に負わせることがなく、実用効果の高いものとなる。
【００３２】
携帯電話装置４は、施設サーバ１からキャンセル不可応答を受信した場合にはキャンセル不可報知を行い、キャンセル許可通知を受信した場合にはキャンセル完了報知を行うようにしたから、施設利用者は現在の状況を知ることができる。
【００３３】
なお、上述した第１実施例においては、入場時に入場料を徴収する課金処理（入場処理）を実行するようにしたが、施設利用者に入場したことに対する特典として、例えば、ポイントを付与する場合に、入場時にポイントを加算する更新処理を実行したのち、誤った通過などによる即時退場が検出された場合には、このポイントを元の値に戻す処理を実行するようにしてもよい。
（実施例２）
【００３４】
以下、この発明の第２実施例について図６を参照して説明する。
なお、上述した第１実施例においては、入場検出時に入場料金の課金処理が行われる場合を例示したが、この第２実施例においては、退常時に料金を精算する場合を示したものである。
ここで、両実施例において基本的あるいは名称的に同一のものは、同一符号を付して示し、その説明を省略すると共に、以下、第２実施例の特徴部分を中心に説明するものとする。
【００３５】
図６は、第２実施例において、ゲート装置２の通過時に非接触ＩＣカード処理部４９の起動に応じて実行される携帯電話装置４の動作を示したフローチャートである。
先ず、携帯電話装置４は、その非接触ＩＣカード処理部４９とゲート装置２側のカード読取装置３との間での交信によってゲート装置２からゲート情報（ゲートＩＤ、入退場種別）を受信すると（ステップＤ１）、この入退場種別に基づいて入場したか否かを判別する（ステップＤ２）。いま、施設入場の場合には（ステップＤ２でＹＥＳ）、自己の「ユーザＩＤ」を付加した入場要求を非接触ＩＣカード処理部４９から送信する（ステップＤ３）。
【００３６】
ここで、ゲート装置２は、携帯電話装置４からの入場要求を受信すると、正規なカードか否かを判別し、その判別結果に応じて入場許可を「ゲートＩＤ」と共にその要求元の携帯電話装置４に送信する。携帯電話装置４は、ゲート装置２から入場許可を受信すると（ステップＤ４）、「ゲートＩＤ」と共に現在時刻を「入場時刻」として記録する入場記録を行う（ステップＤ５）。
【００３７】
一方、携帯電話装置４は、ゲート通過が退場であれば（ステップＤ２でＮＯ）、入場記録の有無を調べ（ステップＤ６）、入場記録が無ければ、エラー報知処理の実行に移るが（ステップＤ１８）、入場記録が有れば（ステップＤ６でＹＥＳ）、「入場時刻」と「現在時刻」とを比較して入場時刻からの経過時間をチェックし（ステップＤ７）、入場時刻から所定時間内（例えば、５分以内）かを調べる（ステップＤ８）。いま、前回の入場時から今回の退場時までが所定時間を越えていれば（ステップＤ８でＮＯ）、自己の「ユーザＩＤ」を付加した精算要求を非接触ＩＣカード処理部４９から送信する（ステップＤ１４）。
【００３８】
ここで、施設サーバ１は、携帯電話装置４から発信された精算要求をゲート装置２を介して受信すると、精算金額を計算したのち、この精算金額と共に「ユーザＩＤ」を電子マネー管理センタ５に送信する。マネー管理センタ５は、ユーザデータベース５Ａをアクセスし、受信した「ユーザＩＤ」対応の電子マネーの残高から精算金額を減額してその残高を更新する精算処理を実行するほか、その処理結果（今回徴収した精算金額、マネー残高）を施設サーバ１に対して送信する。施設サーバ１は、この精算処理結果（精算金額、マネー残高）をゲート装置２を介して要求元の携帯電話装置４に送信する。
【００３９】
携帯電話装置４は、施設サーバ１からの精算処理結果（精算金額、マネー残高）を受信すると（ステップＤ１５）、精算済み報知処理を実行し、精算金額、マネー残高を表示部４７から表示させると共に、サウンドスピーカ４８から報知音を出力させる（ステップＤ１６）。そして、受信した「ゲートＩＤ」と共に現在時刻を「退場時刻」として記録する退場記録を行う（ステップＤ１７）。
【００４０】
また、前回の入場時から今回の退場時までの経過時間が所定時間内であれば（ステップＤ８でＹＥＳ）、前回の入場時に受信した「ゲートＩＤ」と今回の退場時に受信した「ゲートＩＤ」とを比較し、同一のゲート装置２を通過した場合かを判別する（ステップＤ９）。その結果、異なるゲート装置２であれば、ステップＤ１４に移って精算要求を行うが、同一のゲート装置２を通過した場合には（ステップＤ９でＹＥＳ）、誤って入場したり、一時的に入場したりした場合の即時退場であると判断し、入場記録の取り消しを要求する入場キャンセル要求を「ユーザＩＤ」と共に非接触ＩＣカード処理部４９から送信する（ステップＤ１０）。
【００４１】
施設サーバ１は、携帯電話装置４から発信された入場キャンセル要求をゲート装置２を介して受信すると、上述した第１実施例と同様に、そのキャンセル要求を許可するか否かを判別し、その判別結果に応じてキャンセル不可応答あるいはキャンセル許可応答を行う。ここで、携帯電話装置４では施設サーバ１からキャンセル不可応答を受信した場合には（ステップＤ１１でＮＯ）、ステップＤ１４に移って精算要求を行うが、キャンセル許可応答を受信した場合には（ステップＤ１１でＹＥＳ）、キャンセル完了を報知し、表示部４７からメッセージを表示させると共に、サウンドスピーカ４８から報知音を出力させるほか（ステップＤ１２）、上述の入場記録をクリアする処理を行う（ステップＤ１３）。
【００４２】
以上のように、この第２実施例において携帯電話装置４は、入場検出時に入場記録を行い、退場検出時に入場検出から所定時間以内での退場であれば、誤って入場したり、一時的に入場したりした場合の即時退場であると判断し、精算処理を実行せずに入場記録をクリアするようにしたので、誤った通過あるいは一時的な通過を本来の通過とはみなさないようにすることができ、その通過を取り消すなどの負担を利用者に負わせることがないなど、実用効果の高いものとなる。
【００４３】
前回の入場時から今回の退場時までの経過時間が所定時間を越えていれば、精算処理の実行に伴って精算済み報知を行い、所定時間内であれば、入場キャンセル処理の実行に伴ってキャンセル完了報知を行うようにしたので、施設利用者は現在の状況を知ることができる。
【００４４】
また、上述した第１及び第２実施例においては、退場検出時に入場検出から所定時間以内での退場であれば、入場時の課金処理の取り消しあるいは入場記録の取り消しを要求するようにしたが、これとは逆に、退場検出に応じて退場処理が実行された場合に、この退場検出から所定時間以内での入場検出に応じて退場処理の取り消しを要求するようにしてもよい。この場合、誤って退場したり、一時的に退場したりした場合の即時入場であれば、退場とはみなされないので、上述した第１及び第２実施例と同様の効果を有する。
（実施例３）
【００４５】
以下、この発明の第３実施例について図７を参照して説明する。
なお、上述した第１及び第２実施例においては、入退場に応じて課金処理を実行する場合を示したが、この第３実施例において携帯電話装置４は、通過検出から所定時間以内での逆方向通過が検出されなかった場合に、情報提供サービスを享受するサービス要求を施設サーバ１に対して行うようにしたものである。
ここで、第１、第３実施例において基本的あるいは名称的に同一のものは、同一符号を付して示し、その説明を省略すると共に、以下、第３実施例の特徴部分を中心に説明するものとする。
【００４６】
施設サーバ１は、各アトラクション案内や施設案内、特典などの各種の情報（文字、画像、音声情報など）を提供する情報提供サービスを実施しており、施設利用者からの要求に応じて各種の情報を提供するようにしている。この場合、携帯電話装置４は、情報提供サービスを享受可能な状態に設定するか否かを任意に選択可能となっており、サービスを享受可能な状態で入場から所定時間以内に退場しなかった場合に、施設サーバ１に対してサービス要求を行うようにしている。
【００４７】
図７は、第３実施例において、ゲート装置２の通過時に非接触ＩＣカード処理部４９の起動に応じて実行される携帯電話装置４の動作を示したフローチャートである。
先ず、携帯電話装置４は、その非接触ＩＣカード処理部４９とゲート装置２側のカード読取装置３との間での交信によってゲート装置２からゲート情報（ゲートＩＤ、入退場種別）を受信すると（ステップＥ１）、この入退場種別に基づいて入場記録あるいは退場記録を行う（ステップＥ２）。
【００４８】
そして、サービスを享受可能な状態に設定されているか否かをチェックし（ステップＥ３）、その設定が無ければ、このフローから抜けるが、その設定が有れば（ステップＥ３でＹＥＳ）、時間カウンタ（図示せず）は計測動作中か否かを調べる（ステップＥ４）。この時間カウンタは、前回の通過時から所定時間内に逆方向通過があったか否か、例えば、前回の入場時から５分以内に退場したか、あるいは前回の退場時から５分以内に入場したかを判別するための時間（５分）を計測するもので、この時間カウンタが計測中でなければ（ステップＥ４でＮＯ）、その計測動作を開始させる（ステップＥ５）。
【００４９】
一方、時間カウンタが計測動作中であれば（ステップＥ４でＹＥＳ）、そのタイムアウトを検出したか、つまり、前回の入場時／退場時から今回の入場／退場までに所定時間（例えば、５分）経過したか否かを調べる（ステップＥ６）。いま、タイムアウトとなって所定時間が経過した場合には（ステップＥ６でＹＥＳ）、入場記録／退場記録から「ゲートＩＤ」を読み出すと共に、サービス情報の提供を要求するサービス要求を「ゲートＩＤ」と自己の「メールアドレス」と共に、施設サーバ１を宛先としてメール送信する（ステップＥ９）。この場合、施設サーバ１側では、受信した「ゲートＩＤ」対応のサービス情報を読み出して要求元の「メールアドレス」宛に送信するようにしている。
【００５０】
また、タイムアウト前であれば（ステップＥ６でＮＯ）、つまり、前回の入場時／退場時から所定時間が経過する前に入場／退場を検出した場合には、前回記録と今回記録の「ゲートＩＤ」と「入退場種別」を比較し、同一の「ゲートＩＤ」で、逆方向への通過であるか否かを調べる（ステップＥ７）。いま、「ゲートＩＤ」が異なる場合、つまり、異なるゲート装置を通過した場合には（ステップＥ７でＮＯ）、通常の入場／退場として取り扱うために、このフローの終了となるが、同一のゲート装置２を通過した場合には（ステップＥ７でＹＥＳ）誤って入場／退場したり、一時的に入場／退場したりした場合の即時退場／入場であると判断し、上述のサービス要求を行わずにステップＥ８に移り、記録済みの入退場情報をクリアする。
【００５１】
以上のように、この第３実施例において携帯電話装置４は、通過検出から所定時間以内での逆方向通過が検出されなかった場合に、情報提供サービスを享受するサービス要求を施設サーバ１に対して行うようにしたので、誤った通過あるいは一時的な通過を本来の通過とはみなさないようにすることができ、本来の通過であるかを確認したうえで、情報提供サービスを享受することが可能となる。このため、携帯電話装置４側ではデータ量の多い情報を無駄に受信して記憶することがなく、無駄な電力やメモリの消耗を防ぐことができ、また、施設側でも不用な人に無駄に情報を提供してしまうこともない。
【００５２】
時間カウンタがタイムアウトとなって所定時間が経過した場合には、サービス要求を施設サーバ１にメール送信し、タイムアウト前であれば、サービス要求を行わないようにすることができるほか、タイムアウト前であれば、記録済みの入退場情報を削除するようにしたので、時間カウンタを参照することで、誤った通過あるいは一時的な通過を本来の通過とはみなさないようにすることができる。
【００５３】
上述した第３実施例においては、施設サーバ１を宛先としてサービス要求をメール送信するようにしたが、施設内に無線ＬＡＮ（構内通信網）が構築されている環境下では、携帯電話装置４に無線ＬＡＮ機能を設けることによって無線ＬＡＮを介して情報の送受信するようにしてもよい。
（実施例４）
【００５４】
以下、この発明の第４実施例について図８を参照して説明する。
なお、上述した第１〜３実施例においては、携帯電話装置４が主体となる場合を例示したが、この第４実施例においては、第３実施例に示したような情報提供サービスを施設サーバ１が主体となって実施する場合である。
ここで、第１、第４実施例において基本的あるいは名称的に同一のものは、同一符号を付して示し、その説明を省略すると共に、以下、第４実施例の特徴部分を中心に説明するものとする。
【００５５】
この第４実施例においても第３実施例と同様に、施設サーバ１は、各アトラクション案内や施設案内、特典などの各種の情報（文字、画像、音声情報など）を提供する情報提供サービスを実施しており、施設利用者からの要求に応じて各種の情報を提供するようにしている。この場合、携帯電話装置４は、情報提供サービスを享受可能な状態に設定するか否かを任意に選択可能となっている。また、携帯電話装置４は、同一のゲート装置２において前回の通過時から所定時間内に逆方向通過があった場合に、そのゲート装置２を介して施設サーバ１に逆方向通過が有ったことを通知するようにしている。
【００５６】
図８は、第４実施例において、携帯電話装置４がゲート装置２を通過した際に実行される施設サーバ１側の動作概要を示したフローチャートである。
先ず、施設サーバ１は、ゲート装置２を介して携帯電話装置４が通過したことを検出すると、その携帯電話装置４から「ユーザＩＤ」、ゲート装置２から「ゲートＩＤ」、「入退場種別」を受信したのち（ステップＦ１）、その携帯電話装置４に対して情報提供サービスを受けるか否かを問い合わせるサービス要否の確認信号をゲート装置２を介して携帯電話装置４に送信する（ステップＦ２）。なお、携帯電話装置４側では、サービス要否の確認信号を受信すると、情報提供サービスを享受可能な状態に設定されているか否かを判別し、その設定が有れば、サービスを享受することを示すサービス要求をゲート装置２を介して施設サーバ１に送信する。
【００５７】
施設サーバ１は、携帯電話装置４からサービス要求の受信有無をチェックし（ステップＦ３）、サービス要求が無ければ、このフローから抜けるが、サービス要求を受信した場合には（ステップＦ３でＹＥＳ）、受信した「ユーザＩＤ」に基づいてその「メールアドレス」を特定し、この「メールアドレス」を受信した「ゲートＩＤ」に対応付けて記録する（ステップＦ４）。この場合、施設サーバ１は、ユーザデータベース（図示せず）をアクセスして「ユーザＩＤ」対応の「メールアドレス」を読み出すようにしているが、非接触ＩＣカード利用の無線通信によって携帯電話装置４から「メールアドレス」を受信するようにしてもよい。
【００５８】
そして、施設サーバ１は、時間カウンタ（図示せず）は計測動作を開始させる（ステップＦ５）。この時間カウンタは、例えば、同じ施設利用者が前回の入場時から５分以内に同じゲートを退場したか、あるいは前回の退場時から５分以内に同じゲートを入場したかを判別するための時間（５分）を計測するもので、この時間カウンタがタイムアウトしたか否かに基づいて前回の入場時／退場時から今回の入場／退場までに所定時間（５分）が経過したか否かを調べる（ステップＦ６）。
【００５９】
いま、タイムアウトとなって所定時間が経過した場合には（ステップＦ６でＹＥＳ）、上述の「メールアドレス」宛に「ゲートＩＤ」対応のサービス情報を読み出してメール送信する（ステップＦ６）。また、タイムアウト前であれば（ステップＦ６でＮＯ）、携帯電話装置４から逆方向通過有りを示す通知をゲート装置２を介して受信したかを調べる（ステップＦ７）。この場合、同じ施設利用者が前回の入場時／退場時からタイムアウトになる前に同じゲートを退場／入場した場合には、携帯電話装置４から逆方向通過有りが通知されるので（ステップＦ７でＹＥＳ）、上述の情報提供サービスを実施せずに、このフローから抜ける。
【００６０】
以上のように、この第４実施例において施設サーバ１は、カード読取装置３の位置を携帯電話装置４が通過したことが検出されてから所定時間以内に前回とは逆の方向への通過が検出されたか否かを判別し、その判別結果に応じて当該携帯電話装置４に対してサービス情報を送信する処理を実行するようにしたから、誤った通過あるいは一時的な通過を本来の通過とはみなさないようにすることができ、本来の通過であるかを確認したうえで、情報を提供することが可能となる。このため、携帯電話装置４側ではデータ量の多い情報を無駄に受信して記憶することがなく、無駄な電力やメモリの消耗を防ぐことができ、また、施設側でも不用な人に無駄に情報を提供してしまうこともない。
【００６１】
なお、上述した第４実施例において施設サーバ１は、施設利用者に対して、例えば、各アトラクション案内や施設案内、特典などの各種の情報（文字、画像、音声情報など）を提供するようにしたが、レストランなどで入店待ちしている顧客から事前に注文を受け付けるようにしてもよい。この場合においても所定時間以内に前回とは逆の方向への通過が検出されたか否かを判別し、入店待ちしている顧客が直ぐ帰ってしまった場合にその顧客からの注文を即座にキャンセルするようにしてもよい。
また、第４実施例は、交通機関の自動改札機（ゲート装置）に接続された駅の管理サーバに適用してもよい。
【００６２】
上述した第１〜第４実施例において、ゲート装置２は、入退場共用とした場合を例示したが、もちろん、入場専用ゲート、退場専用ゲートであっても同様に適用可能である。この場合、逆方向通過の検出時に前回の通過ゲートと今回の通過ゲートとを比較して同一かを判別する必要はない。その他、携帯電話装置に限らず、例えば、ＰＤＡ、電子カメラ、電子腕時計、音楽再生機などの携帯端末装置であっても同様に適用可能である。
【図面の簡単な説明】
【００６３】
【図１】有料施設の入退場口をその施設利用者が通過したことを管理する通過管理システムを示したブロック図。
【図２】施設サーバ１の基本的な構成要素を示したブロック図。
【図３】携帯電話装置４の基本的な構成要素を示したブロック図。
【図４】ゲート装置２の通過時に非接触ＩＣカード処理部４９の起動に応じて実行される携帯電話装置４の動作を示したフローチャート。
【図５】携帯電話装置４からの要求に応じて実行される施設サーバ１、電子マネー管理センタ５側の動作概要を示したフローチャート。
【図６】第２実施例において、ゲート装置２の通過時に非接触ＩＣカード処理部４９の起動に応じて実行される携帯電話装置４の動作を示したフローチャート。
【図７】第３実施例において、ゲート装置２の通過時に非接触ＩＣカード処理部４９の起動に応じて実行される携帯電話装置４の動作を示したフローチャート。
【図８】第４実施例において、携帯電話装置４がゲート装置２を通過した際に実行される施設サーバ１側の動作概要を示したフローチャート。
【符号の説明】
【００６４】
１  施設サーバ
２  ゲート装置
３  非接触カード読取装置
４  携帯電話装置
５  電子マネー管理センタ
６  通信ネットワーク
１１、４１  ＣＰＵ
１２、４２  記憶部
４７  表示部
４８  サウンドスピーカ
４９  非接触ＩＣカード処理部
【図１】
2008299379.tif 000003
【図２】
2008299379.tif 000004
【図３】
2008299379.tif 000005
【図４】
2008299379.tif 000006
【図５】
2008299379.tif 000007
【図６】
2008299379.tif 000008
【図７】
2008299379.tif 000009
【図８】
2008299379.tif 000010